(57)【要約】横方向ビームが高効率の粘着性物質によって接続された複数の締め止め具により長手方向レールに連結される、車のフレームである。
2007523000.tif 000002
【特許請求の範囲】
【請求項１】
前端と、後端と、１対の平行に隔てられたレールと、複数の横方向支持ビームとを有し、該横方向支持ビームの各々は、粘着性物質によってレールの各々に接続される、車のフレーム構造体。
【請求項２】
請求項１に記載の車のフレーム構造体において、横方向支持ビームの各々は、横方向支持ビームの各々及びレールの各々を粘着性物質によって接続する接続部材によってレールの各々に接続される、車のフレーム構造体。
【請求項３】
請求項１に記載の車のフレーム構造体において、横方向支持ビームの各々は、粘着性物質によって横方向支持ビームの各々及びレールの各々を接続する接続部材と、粘着性物質が新しい間、接続部材を所要位置に保つのを助けるボルト−ナット組立体とによって互いに接続される、車のフレーム構造体。
【請求項４】
請求項１に記載の車のフレーム構造体において、横方向支持ビームの各々は、粘着性物質によって横方向支持ビームの各々及びレールの各々を接続する接続部材によりレールの各々に接続され、接続部材は締め止め接続具を備える、車のフレーム構造体。
【請求項５】
請求項１に記載の車のフレーム構造体において、横方向支持ビームの各々は、粘着性物質によって横方向支持ビームの各々及びレールの各々を接続する接続部材によりレールの各々に接続され、接続部材は、粘着性物質が新しい間、締め止め接続具を所要位置に保つのを助けるボルト−ナット組立体を更に有する締め止め接続具を備える、車のフレーム構造体。
【請求項６】
請求項１に記載の車のフレーム構造体において、１つ又はより多数の横方向支持ビームにより側方向レールの双方に接続された追加的な長手方向の中央レールを有する、車のフレーム構造体。
【請求項７】
請求項１に記載の車のフレーム構造体において、前端は、サスペンション支持構造体を取り付ける、車のフレーム構造体。
【請求項８】
請求項１に記載の車のフレーム構造体において、側方向レールの各々は、主レールと、該主レールに接続された平行な二次的レールとを有する二重レールを備える、車のフレーム構造体。
【請求項９】
請求項１に記載の車のフレーム構造体において、第一、第二及び第三の横方向支持ビームと、ガスタンクの横方向支持ビームと、トランスミッションの支持ビームとを備える５つの横方向支持ビームを有する、車のフレーム構造体。
【請求項１０】
請求項１に記載の車のフレーム構造体において、レールの各々は、円形の断面を有する細長い管状部材を備える、車のフレーム構造体。
【請求項１１】
請求項１に記載の車のフレーム構造体において、第一、第二及び第三の横方向支持ビームと、ガスタンクの横方向支持ビームと、トランスミッションの支持ビームとを備える５つの横方向支持ビームを有し、各々がガスタンクの横方向支持ビームと第三の横方向支持ビームとの間にてレールの各々に溶接された第一及び第二の１番目のボックス支持体を更に有する、車のフレーム構造体。
【請求項１２】
請求項１に記載の車のフレーム構造体において、第一、第二及び第三の横方向支持ビームと、ガスタンクの横方向支持ビームと、トランスミッションの支持ビームとを備える５つの横方向支持ビームを有し、各々が第二及び第三の横方向支持ビームの間にてレールの各々に溶接された第一及び第二の２番目のボックス支持体を更に有する、車のフレーム構造体。
【請求項１３】
請求項１に記載の車のフレーム構造体において、第一、第二及び第三の横方向支持ビームと、ガスタンクの横方向支持ビームと、トランスミッションの支持ビームとを備える５つの横方向支持ビームを有し、各々が第一及び第二の横方向支持ビームの間にてレールの各々に溶接された第一及び第二の３番目のボックス支持体を更に有する、車のフレーム構造体。
【請求項１４】
請求項１に記載の車のフレーム構造体において、第一、第二及び第三の横方向支持ビームと、ガスタンクの横方向支持ビームと、トランスミッションの支持ビームとを備える５つの横方向支持ビームを有し、各々が主レールの一端部付近にてレールの各々に溶接された第一及び第二の４番目のボックス支持体を更に有する、車のフレーム構造体。
【請求項１５】
請求項１に記載の車のフレーム構造体において、第一、第二及び第三の横方向支持ビームと、ガスタンクの横方向支持ビームと、トランスミッションの支持ビームとを備える５つの横方向支持ビームを有し、レールの一端の先端に溶接された第一及び第二の後側フェンダ支持体を更に有する、車のフレーム構造体。
【請求項１６】
請求項１に記載の車のフレーム構造体において、第一、第二及び第三の横方向支持ビームと、ガスタンクの横方向支持ビームと、トランスミッションの支持ビームとを備える５つの横方向支持ビームを有し、各々が第一及び第二の横方向支持ビーム間にてレールの各々に溶接された第一及び第二の３番目のボックス支持体と、第一及び第二の衝撃吸収器の支持体とを更に有し、第一の衝撃吸収器の支持体は、第二及び第三の横方向ビームの間にてレールに溶接され、第二の衝撃吸収器の支持体は、第二の３番目のボックス支持体と第二の横方向ビームとの間にて対向するレールに溶接される、車のフレーム構造体。
【請求項１７】
前端、後端、上端及び下端並びに内側部及び外側部を有する車のフレーム構造体において、
各々が第一及び第二の端部を有して、平行に隔てられた第一及び第二の二重レールであって、
各々が車のフレームの前端及び後端にそれぞれ相応する第一及び第二の端部と、円形の断面とを有する第一及び第二の主レールと、
第一及び第二の二次的レールであって、各々が車のフレームの前側及び後側にそれぞれ相応する第一及び第二の端部と、円形の断面とを有し、第二の端部は主レールの第一の端部に溶接される、前記第一及び第二の二次的レールと、を有する前記第一及び第二の二重レールと、
第一及び第二の端部と、中央部分とを有し、第一及び第二の二重レールの間に配置され且つ第一、第二及び第三の横方向支持ビームによって二重レールに連結された中央レールと、
第一及び第二の端部と、中央レールの断面を受け入れる中央の「Ｏ」リングとを有し、各端部に第一及び第二の半締め止め具を更に有する第一の横方向支持ビームと、
各々が第一及び第二の半締め止め具を有しており、各々が第一の横方向支持ビームの半締め止め具を閉じて、第一及び第二の後側ばね支持体の「Ｏ」字形リングを形成し、主レールの断面を受け入れ且つ粘着性物質により該断面を接続し、従って双方の二重バーを接続する第一及び第二の後側ばね支持体と、
第一及び第二の端部と、中央レールの中央部分の断面を受け入れる中央の「Ｏ」リングとを有し、各端部に第一及び第二の半締め止め具を更に有する第二の横方向支持ビームと、
各々が第一及び第二の半締め止め具を有しており、各々が第二の横方向支持ビームの半締め止め具を閉じて、第一及び第二の後側車軸の補助的支持体の「Ｏ」字形リングを形成し、主レールの断面を受け入れ且つ粘着性物質により該断面を接続し、従って双方の二重バーを接続する第一及び第二の後側車軸の補助的支持体と、
第一及び第二の端部と、中央レールの断面を受け入れる中央の「Ｏ」リングとを有し、各端部に第一及び第二の半締め止め具を更に有する、第三の横方向支持ビームと、
各々が第一及び第二の半締め止め具を有しており、各々が第三の横方向支持ビームの半締め止め具を閉じて、第一及び第二の前側ばね支持体の「Ｏ」字形リングを形成し、主レールの断面を受け入れ且つ粘着性物質により該断面を接続し、従って双方の二重バーを接続する第一及び第二の前側ばね支持体と、
第一及び第二の端部を有し、各々が１対の半締め止め具を含むガスタンクの横方向支持ビームと、
第一及び第二の２番目のキャビンの支持体であって、各々が１対の半締め止め具を含み、該対の締め止め具の各々がガスタンクの横方向支持ビームの１対の半締め止め具を閉じて、２番目のキャビンの支持体の第一及び第二の対の「Ｏ」リングを形成し、ほぼその半分の３／４部分にて主レールの断面及びそのほぼ中央部分にて二次的クロスバーの断面を受け入れ且つ粘着性物質によって接続する、前記第一及び第二の２番目のキャビンの支持体と、
連結手段を有するトランスミッションの支持ビームと、
第一及び第二の１番目のキャビンの支持体と、主及び二次的クロスバーの各々、トランスミッションの支持ビーム、従って二重バーの双方を互いに連結する、１番目のキャビンの支持体の各々に対するキャビンの支持体の連結部材と、
主レールの第一の端部及び二次的レール並びに双方の二重レールを互いに接続する第一及び第二の二重レールの受け入れ部分を有し、第一及び第二の二重レール受け入れ部分に対向した第一及び第二の衝撃ビームの受け入れ部分とを更に有する前側サスペンションの支持フレームと、を備える、車のフレーム構造体。
【請求項１８】
請求項１７に記載の車のフレーム構造体において、
主レールは、４つの等しい長さ部分と、第二の端部にて開始し且つ主レールの長さの約１／４にて終わる真っ直ぐな部分と、真っ直ぐな部分の端部にて開始し、且つ主レールの第一の端部にて終わる、自動車のフレームの下方にて、且つその外側部に向けて僅かに曲った曲がり部分とを有し、
二次的レールは、４つの等しい長さ部分と、自動車のフレームの下方に向けて僅かに曲がり、各々が二次的レールの第一の端部及び第二の端部にそれぞれ配置された第一の端部及び第二の端部の曲がり部分と、中央の真っ直ぐな部分とを有する、車のフレーム構造体。
【請求項１９】
請求項１８に記載の車のフレーム構造体において、第一の横方向支持ビームの中央の「Ｏ」リングは、その第二の端部にて中央レールの断面を受け入れ；第一及び第二の後側ばね支持体の「Ｏ」字形リングは、その第二の端部にて主レールの断面を受け入れ；第二の横方向支持ビームの中央の「Ｏ」リングは、その中央部分にて中央レールの断面を受け入れ；第一及び第二の後側車軸の補助的支持体の「Ｏ」字形リングは、その最初の１／４部分にて主レールの断面を受け入れ；第三の横方向支持ビームの中央の「Ｏ」リングは、その第一の端部にて中央レールの断面を受け入れ；第一及び第二の前側ばね支持体の「Ｏ」字形リングは、その第二の曲がった部分の中央部分にて主レールの断面を受け入れ；２番目のキャビンの支持体の第一及び第二の対の「Ｏ」リングは、ほぼ半分の３／４部分にて主レールの断面を且つ中央部分にて二次的クロスバーの断面をそれぞれ受け入れ、第一及び第二の１番目のキャビンの支持体及び双方のキャビンの支持体の連結部材は、最後の１／４部分にて主レール及び二次的レールの断面を受け入れる、車のフレーム構造体。
【請求項２０】
請求項１７に記載の車のフレーム構造体において、長手方向で且つ平行な第一の支持部材及び第二の支持部材を備える第一の横方向支持ビームであって、該支持ビームの各々が、自動車のフレームの下方に向けてその中央部分にて僅かに曲げられ、且つ第一及び第二の端部を有し、また、その中央部分にて、中央レールの第二の端部を受け入れるように中央の「Ｏ」リングにより、また、各々が垂直に向き決めされ且つ自動車のフレームの外側部に対し開放した２つの半締め止め具により接続され、細長い部材の第一及び第二の端部を接続し、且つ上方ボルト受け入れ部材及び下方ボルト受け入れ部材を有する、前記第一の横方向支持ビームを備える、車のフレーム構造体。
【請求項２１】
請求項２０に記載の車のフレーム構造体において、第一及び第二の後側ばね支持体であって、該ばね支持体の各々が、ばね支持要素と、垂直に向き決めされ、且つ自動車フレームの内側部に対して開放した半締め止め具とを有する前記第一及び第二の後側ばね支持体を備え、半締め止め具及びばね支持体は、平坦な細長い部片及び２つの湾曲した細長い部片により接続され、該細長い部片の各々は、その端部の一方により半締め止め具の一端に接続され、ばね支持要素を接続し得るようその両端により互いに接続され、半締め止め具の各々は、上方ボルト受け入れ部材及び下方ボルト受け入れ部材を有し、且つ第一の横方向支持ビームの半締め止め具を閉じて、そのボルト受け入れ部材の各々の１つがボルト−ナット組立体と一致し、且つ該ボルト−ナット組立体を受け入れ、これにより「Ｏ」字形リングを形成し、主レールの断面を受け入れ、且つ「Ｏ」字形リングに施された粘着性物質によって該断面を接続し得るようにし、これにより主レールの第二の端部及び中央レールをその第二の端部にて接続する、車のフレーム構造体。
【請求項２２】
請求項１７に記載の車のフレーム構造体において、第二の横方向支持ビームは、スペアタイヤの支持体として機能し、該支持ビームは、各々がその中央部分にて自動車のフレームの下方に向けて僅かに曲げられた長手方向で且つ平行な細長い第一の部材及び第二の部材を備え、第一及び第二の部材の各々は、該部材の各々は、第一の端部及び第二の端部を有し、該部材の各々は、その中央部分にて中央レールの断面を受け入れ得るよう中央「Ｏ」リングにより、また、垂直に向き決めされ、且つ自動車のフレームの外側部に対して開放した２つの半締め止め具により中央部分にて互いに接続され、各々が上方及び下方ボルト受け入れ部材を有する細長い部材の第一の端部及び第二の端部を接続する、車のフレーム構造体。
【請求項２３】
請求項２２に記載の車のフレーム構造体において、第一及び第二の後車軸の補助的支持体であって、該支持体の各々が、水平方向側部と、垂直方向側部と、傾斜側部とを有する三角形のフレームを備え、垂直方向側部は、垂直に向き決めされ、且つ車のフレームの内側部に対して開放した半締め止め具を備え、該半締め止め具の各々１つが、上方ボルト受け入れ部材及び下方ボルト受け入れ部材と、後車軸の支持要素を有する１つの対向する端縁とを備える、前記第一及び第二の後車軸の補助的支持体を備え、半締め止め具の各々は、第二の横方向支持ビームの第一及び第二の半締め止め具を閉じて、そのボルト受け入れ部材はボルト−ナット組立体と一致し、且つ該ボルト−ナット組立体を受け入れ、これにより「Ｏ」字形リングを形成し、主レールの断面を受け入れ、且つ「Ｏ」リングに施された粘着性物質により該断面を接続し、これにより第一及び第二の主レール及び中央レールを共に接続する、車のフレーム構造体。
【請求項２４】
請求項１７に記載の車のフレーム構造体において、第三の横方向支持ビームは、補助的ガスタンクの支持体として機能し、該支持ビームの各々が、長手方向で且つ平行な細長い第一の部材及び第二の部材を備え、該部材の各々は、第一の端部及び第二の端部を備え、且つその中央部分にて曲げられ、突き出さない逆「Ｖ」字形部片を形成し、該部片の各々は、中央レールの断面の第一の端部を受け入れる中央の「Ｏ」リングにより、且つ各々が垂直に向き決めされ且つフレームの内側部に対して開放し、また、上方ボルト受け入れ部材及び下方ボルト受け入れ部材を有する第一の対の半締め止め具によりその中央部分にて接続され、
第二の細長い部材の第一の端部及び第二の端部は、その各々が第二の対の半締め止め具の１つの半締め止め具を接続し得るよう９０°の角度にて曲げられた突き出し部を有し、該突き出し部の各々は、第一の対の半締め止め具の１つの下方で、且つその隣に配置され、また、各々が上方ボルト受け入れ部材及び下方ボルト受け入れ部材を有する、車のフレーム構造体。
【請求項２５】
請求項２４に記載の車のフレーム構造体において、第一及び第二の前側ばね支持体であって、該ばね支持体の各々が、ばね支持要素を含む第一の端部と、第一の半締め止め具及び該第一の半締め止め具の下方に配置された第二の半締め止め具を有する第二の端部とを備え、各々が垂直に向き決めされ、且つフレームの内側部に対し開放した１対の半締め止め具を形成し、その全てが三角形のフレームにより接続された上方及びボルト受け入れ部材を有する、前記第一及び第二の前側ばね支持体を備え、ばね支持体の各々の対の半締め止め具は、第三の横方向支持ビームの半締め止め具の相応する対を閉じて、そのボルト受け入れ部材は、ボルト−ナット組立体と一致し且つ該ボルト−ナット組立体を受け入れ、これにより第一の「Ｏ」字形リング及び第二の「Ｏ」字形リングを形成し、主レールの断面及び二次的レールの断面を受け入れ且つ「Ｏ」リングの各々に施された粘着性物質によって接続し、これにより各二重レールの主レール及び二次的レール並びに双方の二重レールを互いに接続する、車のフレーム構造体。
【請求項２６】
請求項１７に記載の車のフレーム構造体において、長手方向で且つ平行な細長い第一の部材及び第二の部材を備えるガスタンクの横方向支持ビームであって、該部材の各々が、第一の端部及び第二の端部を有する前記ガスタンクの横方向支持ビームを備え、第一の細長い部材は、その中央部分にて曲げられ、突き出さない逆「Ｖ」字形部片を形成し、第二の細長い部材は、その中央部分にて曲げられて、突き出した逆「Ｖ」字形部片を形成し、該部片の双方は、各々が第一の端部及び第二の端部を有し且つ各々がその第二の端部に孔（図示せず）を有する２つの垂直で且つ平行な細長い部材によりその中央部分により接続され、これにより中央の「Ｈ」字形パターンを形成し、第一の長手方向の細長い部材の両端にて接続された第一の対の半締め止め具と、第二の長手方向の細長い部材の両端にて接続された第二の対の半締め止め具とを更に有し、該半締め止め具の各々は、自動車のフレームの外側部に対し開放した、車のフレーム構造体。
【請求項２７】
請求項２４に記載の車のフレーム構造体において、閉じた「Ｖ」字形を有する２番目のキャビンの支持体の各々は、第一及び第二の主細長い金属部材と、「Ｖ」字形を閉じ且つその最も幅の広い部分に穴を含むパレット形状を有するキャビンの支持体を形成する上方平面状の細長い部材とから成り、上方平面状の細長い部材及び第一の主細長い金属部材の連結体が車のフレームの内側部に対して開放した第一の半締め止め具を有し、第一の及び第二の主細長い部材の連結体がフレームの内側部に対して開放した第二の半締め止め具を形成し、半締め止め具の各々が、上方ボルト受け入れ部材及び下方ボルト受け入れ部材を有し、該部材の各々は、ガスタンクの横方向支持ビームの第一の対及び第二の対の半締め止め具をそれぞれ閉じ、そのボルト受け入れ部材がボルト−ナット組立体と一致し、且つ該ボルト−ナット組立体を受け入れ、これにより第一の「Ｏ」リング及び第二の「Ｏ」リングを形成し、主レールの断面及び二次的クロスバーの断面を受け入れ且つ第一の「Ｏ」リング及び第二の「Ｏ」リングに施された粘着性物質によって接続し、これにより二重レールの各々の主レール及び二次的レール並びに双方の二重レールを互いに接続する、車のフレーム構造体。
【請求項２８】
請求項１７に記載の車のフレーム構造体において、１番目のキャビンの支持体の各々が、ある幅を有し、上端及び下端を有する垂直方向側部と、第一及び第二の端部を有する水平方向側部と、第一及び第二の端部を有する傾斜側部とを有する側方向三角形の平面状の第一及び第二の部材と、その垂直方向側部の第一の端部の端縁にて双方の側方向三角形の平面状部材の間に接続された上方の細長い部材とを有するほぼ切れ目無しの多角形の三角形部片を備え、主レールを受け入れる水平方向に向き決めした第一及び第二の半締め止め具を形成し、該締め止め具の各々は、フレーム部材の内側部に臨み、また、上端及び下端を有し、その端縁にて双方の側方向三角形の平面状部材の間に接続された、その中央部分に円形の開口部を有する下方の水平方向の五角形の平面状部材を有し、傾斜し且つ水平方向の側部の第一の端部が一致し、二次的レールを受け入れ且つ粘着性物質により二次的レールに接着する、三角形の平面状部材の垂直方向側部の第二の端部に接続された１対の丸味を付けたレール受け入れ部分と、双方の側方向三角形の平面状部材の間、及び上方の細長い部材と下方の水平方向の五角形の形状の平面状部材の間に配置されて、これらの部材を連結する補強構造体と、双方の締め止め具の上端の先端に溶接された第一及び第二のボルト受け入れ部材とを備え、第二の三角形の平面状部材は、その垂直方向側部の第二の端部に穴を有し、また、丸味を付けたレール受け入れ部分の上方にてその水平方向側部の第一の端部付近に穴を有し、三角形の平面状部材の各々は、上方の細長い部材及び下方の水平方向五角形の平面状部材に対して車のフレームの前側に向けて僅かに傾斜している、車のフレーム構造体。
【請求項２９】
請求項２８に記載の車のフレーム構造体において、１番目のキャビン支持体の各々は、垂直方向に向き決めされ且つ車のフレームの外側部に対して開放し、上方ボルト受け入れ部分を有する唯一の半締め止め具を更に備え、該唯一の半締め止め具は、キャビンの支持体の上方の細長い部材の第二の半締め止め具を閉じ、そのボルト受け入れ部材がボルト−ナット組立体と一致し、且つ該ボルト−ナット組立体を受け入れ、これにより「Ｏ」リングを形成し、主レールの断面を受け入れ且つ「Ｏ」リングに施された粘着性物質によって該断面を接続する、車のフレーム構造体。
【請求項３０】
請求項１７に記載の車のフレーム構造体において、トランスミッションの支持ビームは、「Ｈ」字形断面を有し且つ、逆「Ｕ」字形に曲がった中央部分及び両側部における２つの真っ直ぐな部分を有する細長い溝型部材を備え、トランスミッションの支持ビームの第一及び第二の端部を形成し、該ビームの各々が、ナット受け入れ孔を有し、且つそれぞれ水平に向き決めされ、また、上方に開放した第一及び第二の半締め止め具を更に有し、該半締め止め具の各々１つが、第一及び第二の端部にて接続され、各々がナット受け入れ孔を有し、半締め止め具の各々が、二次的レールの下側部分を取り囲み、且つ１番目のキャビンの支持体に連結される、車のフレーム構造体。
【請求項３１】
請求項２８に記載の車のフレーム構造体において、トランスミッションの支持ビームは、「Ｈ」字形断面を有し且つ、逆「Ｕ」字形に曲がった中央部分及び両側部における２つの真っ直ぐな部分を有する細長い溝型部材を備え、トランスミッションの支持ビームの第一及び第二の端部を形成し、該ビームの各々が、ナット受け入れ孔を有し、且つそれぞれ水平に向き決めされ、また、上方に開放した第一及び第二の半締め止め具を更に有し、該半締め止め部の各々が、第一及び第二の端部にて接続され、各々がナット受け入れ孔を有し、半締め止め具の各々が、二次的レールの下側部分を取り囲み、且つナット受け入れ部分を通り及びナット受け入れ孔と一致するキャビン支持体の矩形の平面状部材の水平方向側部の第二の端部に配置された孔を通って進むナット−ボルト組立体により１番目のキャビンの支持体に連結される、車のフレーム構造体。
【請求項３２】
請求項２８に記載の車のフレーム構造体において、キャビンの支持体の連結部材の各々は、主レールを受け入れるため、その先端にボルト受け入れ部材を有する自動車のフレームの外側部まで開放した垂直方向半締め止め具を含む上方端と、二次的レールを受け入れる丸味を付けたレール受け入れ部分を含む下端とを有する垂直方向平面状部材を備え、垂直方向平面状部材の各々が、その第二の端部付近にボルト受け入れ孔を有し、丸味を付けたレール受け入れ部分は、その端部に水平方向ボルト受け入れ部材を有し、半締め止め具は、第一のキャビンの支持体の半締め止め具を閉じて、双方のボルト受け入れ部材がボルト−ナット組立体と一致し且つ、ボルト−ナット組立体を受け入れ、これにより「Ｏ」リングを形成し、主レールの断面を受け入れ且つ「Ｏ」リングに施された粘着性物質により該主レールの断面を接続し、丸味を付けたレール受け入れ部分は、粘着性物質により二次的レールに接着される、車のフレーム構造体。
【請求項３３】
請求項１７に記載の車のフレーム構造体において、左側及び右側の第一のボックスの支持体であって、各々がボックスの支持部材を有する第一の端部と、自動車のフレームの内端に臨み且つガスタンクの横方向支持ビームと第三の横方向支持ビームとの間にて主レールの上方部分に溶接された、丸味を付けたレール受け入れ部分を有する第二の端部とを有する中空の矩形の部片を備え、前記左側及び右側の第一のボックスの支持体を更に備える、車のフレーム構造体。
【請求項３４】
請求項１７に記載の車のフレーム構造体において、左側及び右側の第二のボックスの支持体であって、第一の真っ直ぐな傾斜側部と、丸味を付けた形状の第二の側部と、上側の水平方向側部を有する１対の平行な平面状部材と、双方の平行な平面状部材の上側水平方向側部に接続された矩形の水平方向平面状部材と、を有する１対の平行な平面状部材を備え、第二の側部の各々は、第二及び第三の横方向支持ビームの間にて車の外側部に臨む主レールに溶接された、前記左側及び右側の第二のボックスの支持体を更に備える、車のフレーム構造体。
【請求項３５】
請求項１７に記載の車のフレーム構造体において、左側及び右側の第三のボックスの支持体であって、各々が、水平方向の矩形の平面状壁と、垂直方向の矩形の部材から垂下する第一及び第二の側壁とを有し、矩形の平面状部材の長さの半分の長さを有し、また、内側部及び外側部を有し、その中央部分に１対の孔を有する溝型部材を備える、前記左側及び右側の第三のボックスの支持体を備え、第三のボックス支持体の各々は、第一及び第二の横方向支持ビームの間にて主レールの上側部分に溶接され、主レールは、双方の側壁の内側の間に配置されたままである、車のフレーム構造体。
【請求項３６】
請求項１７に記載の車のフレーム構造体において、左側及び右側の第四のボックスの支持体であって、各々が、垂直方向の矩形の平面状壁と、該矩形の平面状壁から垂下する第一及び第二の側壁とを有し、矩形の平面状部材の長さの半分の長さを有し、また、内側部及び外側部を有する溝型部材を備える、前記左側及び右側の第四のボックスの支持体を備え、該第四のボックスの支持体の各々は、垂直方向矩形の平面状部材の外側部が主レールの第二の端部付近にて車のフレームの外側部に臨む状態にて主レールの側方部分に溶接され、主レールは、双方の横方向側部の内側部の間に配置されたままである、車のフレーム構造体。
【請求項３７】
請求項１７に記載の車のフレーム構造体において、第一及び第二の後側フェンダの支持体であって、各々が、垂直壁と、該垂直壁から垂下する２つの水平方向側壁とを有する溝型部片を備え、前記第一及び第二の後側フェンダの支持体が主レールの第二の端部の先端に溶接された、前記第一及び第二の後側フェンダの支持体を備える、車のフレーム構造体。
【請求項３８】
請求項１７に記載の車のフレーム構造体において、角錐形状を有し、且つレールの受け入れ部分を有する左側及び右側衝撃吸収器の支持体であって、車のフレームの内側部に臨む第一の主レールに溶接され、且つ第二及び第三の横方向ビームの間に配置された前記左側及び右側衝撃吸収器の支持体を備え、該右側衝撃吸収器は、車の内側部に臨む第二の主レールに溶接され、且つ右側の第三のボックスの支持体と第二の横方向ビームとの間に配置される、車のフレーム構造体。
【発明の詳細な説明】
【技術分野】
【０００１】
本発明は、自動車のフレーム、より具体的には、主構造構成要素を接続するため粘着性物質が使用される自動車のフレームに関する。
【背景技術】
【０００２】
一般の自動車のフレームの主構造体は、全体として、第一及び第二の長手方向レールと、長手方向レールの双方を接続する複数の横方向ビームとを備えている。
【発明の開示】
【発明が解決しようとする課題】
【０００３】
通常、横方向ビームは、構造体に極めて大きい荷重、反対の力又は大きい捩れ力が加わったとき、欠損する可能性がある箇所となる溶接箇所又はボルトによって双方の長手方向レールに接続される。
【０００４】
かかる欠損する可能性のある箇所を解消するため、当該出願人は、高効率的な粘着性物質によって接続された複数の締め止め具により横方向ビームが長手方向ビームに連結され、これにより、主構造要素を接続するため要素を溶接し又はボルト−ナット組立体を使用することを回避する自動車のフレームを開発した。
【０００５】
溶接又はボルト止めの必要性が解消されるため、少ないエネルギにて車のフレームを製造することができ、このことは、全体的な製造コスト及び販売コストを削減することになる。
【０００６】
実際に製造されている一般の車のフレームの多くは、各種の車の要素を支持するため追加の支持構造体を有している。しかし、前側サスペンションの支持体のような要素は、その要素が使用される特定の車のフレームに合うように設計する必要があり、このため、その要素をその他の設計の車のフレームにて使用することができない。
【０００７】
当該出願人の車のフレームは、現下の必要性に応じて任意の前側サスペンションの支持体に取り付け、且つ車のフレームの形態を実質的に変更せずに、前側サスペンションの支持体の設計を変更することを許容する設計とされており、このことは、開発コストを低減するのに役立つ。
【課題を解決するための手段】
【０００８】
このため、本発明の主目的は、高効率の粘着性物質により接続された複数の締め止め具により横方向ビームが長手方向レールに連結された車のフレームを提供することである。
本発明の別の主目的は、その主構造要素を接続する何らの溶接箇所又はボルト−ナット組立体を有しない、上述した種類の車のフレームを提供することである。
【０００９】
本発明の更なる主目的は、主構造体要素を接続するため溶接箇所又はボルト−ナット組立体を使用することにより形成される潜在的な欠損箇所のない上述した種類の車のフレームを提供することである。
【００１０】
本発明の追加的な目的は、より少ないエネルギを使用して製造することができ、このため全体的な製造コスト及び販売コストを削減する上述した性質の車のフレームを提供することである。
【００１１】
本発明の追加的な目的は、現下の必要性に応じて任意の前側サスペンションの支持体の設計のものを取り付け、且つ車のフレームの形態を実質的に変更せずに、前側サスペンションの支持体の設計を変更することを許容する設計とされ、このことは、開発コストを低減するのに役立つ上述した種類の車のフレームを提供することである。
【００１２】
本発明の車のフレームの上記及びその他の目的並びに有利な効果は、添付図面に関して記述した本発明の実施の形態に関する以下の詳細な説明から当該技術の当業者に明らかになるであろう。
【発明を実施するための最良の形態】
【００１３】
本発明は、以下に、本発明による自動車のフレームの好ましい実施の形態及び特定の例を参照して説明する。
更に、本発明の自動車のフレームは以下のような車に関して説明する。すなわち、自動車のフレームの前側が車の前側に相応し、自動車のフレームの後側が車の後側に相応し、自動車のフレームの左側及び右側がそれぞれ自動車のフレームの前側から見たとき、車の左側及び右側に相応し、自動車のフレームの上方及び下方は、車の上方及び下方にそれぞれ相応し、更に、自動車のフレームの内側部に臨む任意の部片は、その側部の一方から自動車のフレームの中心に臨む部片を意味する。また、自動車のフレームの外側部に臨む部片は、その側部の一方から自動車のフレームの中心に対向する箇所に臨む部片を意味する。
【００１４】
自動車のフレームは、主作用応力を支持する主フレーム組立体を備えている。該主フレーム組立体は、各々が第一及び第二の端部を有していて平行に隔てられた第一及び第二の二重レール「Ｄ」、「Ｄ´」を備えている。該二重レールの各々は主レール１、１´を備え、該主レールの各々が、円形の断面と、第一の端部２、２´及び第二の端部３、３´と、第二の端部３、３´にて開始し且つ主レール１、１´の長さの約１／４にて終わる真っ直ぐな部分４、４´と、真っ直ぐな部分４、４´の端部にて開始し、且つ主レール１、１´の第一の端部２、２´にて終わる自動車のフレームの下方にて、且つその外側部に向けて僅かに曲った曲がり部分５、５´とを有する。
【００１５】
該二重レールの各々はまた、二次的レール６、６´を備え、二次的レール６、６´は、円形の断面と、第一の端部７、７´及び第二の端部８、８´とを有する。該端部の各々が、自動車のフレームの下方に向けて僅かに曲がった第一の端部の曲がり部分９、９´及び第二の端部の曲がり部分１０、１０´を有する。該曲がり部分の各々が、二次的レール６、６´の第一の端部７、７´及び第二の端部８、８´にそれぞれ配置され、中央の真っ直ぐな部分１１、１１´を有する。第一の端部の曲がり部分９、９´は、前側サスペンションの支持フレーム１２により主レールの曲がり部分５、５´の一端に連結され、第二の曲がり部分１０、１０´の一端は、溶接によって主レールの真っ直ぐな部分４、４´の一端に連結される。第一及び第二の二次的レール６、６´は、主レール１、１´の各々に対し平行な関係に配置されている。
【００１６】
自動車のフレームは、また、平行な二重レールの長さの約１／３の長さの中央レール１３を有している。中央レール１３は、円形の断面と、第一のレール「Ｄ」及び第二のレール「Ｄ´」という二重レールの間に配置され、且つ３つの隔てられた横方向支持ビーム１６、１７、１８により上記二重レールに連結された第一の端部１４及び第二の端部１５とを有する。
【００１７】
連結手段が、第一のレール「Ｄ」及び第二のレール「Ｄ」という二重のレール及び中央レール１３を互いに連結し、且つ色々な車の要素を支持する。この連結手段は、長手方向で且つ平行な細長い第一の支持部材１９及び第二の支持部材２０を備える第一の横方向支持ビーム１６を有する。該支持ビームの各々は、自動車のフレームの下方に向けてその中央部分にて僅かに曲げられ、且つ第一及び第二の端部２１、２１´、２２、２２´を有し、また、その中央部分にて、中央レール１３の第二の端部１５を受け入れるように中央の「Ｏ」リング２３により、また、各々が垂直に向き決めされ且つ自動車のフレームの外側部に対し開放した２つの半締め止め具２４、２４´により接続され、細長い部材第一及び第二の端部２１、２１´、２２、２２´を接続し、且つ上方ボルト受け入れ部材２５、２５´及び下方ボルト受け入れ部材２６、２６´を有する。
【００１８】
第一及び第二の後側ばね支持体２７、２７´の各々は、ばね支持要素２８、２８´と、垂直に向き決めされ、且つ自動車フレームの内側部に対して開放した半締め止め具２９、２９´とを有する前記第一及び第二の後側ばね支持体２７、２７´と、を備えている。半締め止め具２９、２９´及びばね支持体２８、２８´は、平坦な細長い部片３０、３０´及び２つの湾曲した細長い部片３１、３１´、３２、３２´により接続される。該細長い部片の各々は、その端部の一方により半締め止め具２９、２９´の一端に接続され、ばね支持要素２８、２８´を接続し得るようその両端により互いに接続されている。半締め止め具２９、２９´の各々は、上方ボルト受け入れ部材３３、３３´及び下方ボルト受け入れ部材３４、３４´を有し、且つ第一の横方向支持ビーム１６の半締め止め具を閉じて、そのボルト受け入れ部材の各々の１つがボルト−ナット組立体と一致し、且つ該ボルト−ナット組立体を受け入れる。これにより「Ｏ」字形リング３５、３５´を形成し、主レール１、１´の第二の端部の断面を受け入れ、且つ「Ｏ」字形リング３５に施された粘着性物質によって該断面を接続し得るようにする。これにより主レール１、１´の第二の端部及び中央レール１３をその第二の端部１５にて接続する。
【００１９】
連結手段はまた、スペアタイヤの支持体として機能する第二の横方向支持ビーム１７を有している。第二の横方向支持ビーム１７は、各々が、その中央部分にて自動車のフレームの下方に向けて僅かに曲げられた長手方向で且つ平行な細長い第一の部材３６及び第二の部材３７を備えている。第一及び第二の細長い部材の各々は、自動車のフレームの下方に向けてその中央部分にて僅かに曲げられている。また、該部材の各々は、第一の端部及び第二の端部３８、３８´、３９、３９´を有し、その中央部分にて中央レール１３の断面を受け入れ得るよう中央「Ｏ」リング４０により、また、垂直に向き決めされ且つ、自動車のフレームの外側部に対して開放した２つの半締め止め具４１、４１´により中央部分にて互いに接続されており、各々が上方及び下方ボルト受け入れ部材４２、４２´、４３´、４３´を有する細長い部材の第一の端部及び第二の端部３８、３８´、３９、３９´を接続する。
【００２０】
連結手段はまた、第一及び第二の後車軸の補助的支持体４４、４４´を備えている。補助的支持体の各々が、水平方向側部４５、４５´と、垂直方向側部と、傾斜側部４７、４７´（斜辺）とを有する三角形のフレームを備えている。この垂直方向側部は、垂直に向き決めされ、且つ車のフレームの内側部に対して開放した半締め止め具４８、４８´を備えている。該半締め止め具の各々１つが、上方ボルト受け入れ部材４９、４９´及び下方ボルト受け入れ部材４９ｂ、４９ｂ´を有する。対向する端縁は、後車軸の支持要素５０、５０´を有する前記第一及び第二の後車軸の補助的支持体４４、４４´を備えている。半締め止め具４８、４８´の各々は、第二の横方向支持ビーム１７の第一及び第二の半締め止め具４１、４１´を閉じて、そのボルト受け入れ部材はボルト−ナット組立体と一致し、且つ該ボルト−ナット組立体を受け入れる。これにより「Ｏ」字形リング５１、５１´を形成し、その第一の１／４部分にて主レール１、１´の断面を受け入れ、且つ該「Ｏ」リング５１、５１´に施された粘着性物質により断面を接続する。これにより第一及び第二の主レール１、１´がそのほぼ第一の１／４部分にて接続され及び中央レール１３がその中央レール１３にて接続される。
【００２１】
連結手段はまた、補助的ガスタンク支持体として機能する第三の横方向支持ビーム１８を備えている。第三の横方向支持ビーム１８は、長手方向で且つ平行な細長い第一の部材５２及び第二の部材５３を備える。該部材の各々は、第一の端部及び第二の端部５４、５４´、５５、５５´を備え、且つその中央部分にて曲げられ、突き出さない逆「Ｖ」字形部片を形成する。また、該部片の各々は、中央レール１３の断面の第一の端部１５を受け入れ得るように中央の「Ｏ」リング５６により、且つ各々が垂直に向き決めされ且つフレームの内側部に対して開放する。また、該部片の各々は、上方ボルト受け入れ部材５８、５８´及び下方ボルト受け入れ部材５９、５９´を有する第一の対の半締め止め具５７、５７´によりその中央部分にて接続され、細長い部材５２、５３の端部を接続する前記第三の横方向支持ビーム１８を備える。第二の細長い部材５３の第一の端部５４´及び第二の端部５５´は、その各々が第二の対の半締め止め具６１、６１´の１つの半締め止め具を接続し得るよう９０°の角度にて曲げられた突き出し部６０、６０´を有する。該突き出し部の各々は、第一の対の半締め止め具５７、５７´の１つの下方で、且つその隣に配置される。また、各々が上方ボルト受け入れ部材６２、６２´及び下方ボルト受け入れ部材６３、６３´を有する。
【００２２】
第一及び第二の前側ばね支持体６４、６４´は、各々が、ばね支持要素６５、６５´を含む第一の端部と、第一の半締め止め具６６、６６´及び該第一の締め止め具の下方に配置された第二の半締め止め具６７、６７´を有する第二の端部とを備える。また、各々が垂直に向き決めされ、且つフレームの内側部に対し開放した１対の半締め止め具を形成し、その全てが三角形のフレーム６８、６８´により接続された上方及びボルト受け入れ部材（図示せず）を有する前記第一及び第二の前側ばね支持体６４、６４´を備える。このばね支持体６５、６５´の各々の対の半締め止め具６６、６６´、６７、６７´は、第三の横方向支持ビーム１８の半締め止め具５７、５７´、６１、６１´の相応する対を閉じる。ボルト受け入れ部材は、ボルト−ナット組立体と一致し且つ該ボルト−ナット組立体を受け入れる。これにより、第一の「Ｏ」字形リング６８、６８´及び第二の「Ｏ」リング６９、６９´が形成され、ほぼその半第二の１／４部分にて主レールの断面及びその第二の曲げ部分の中央部分にて二次的レールの断面が受け入れられ、且つ各「Ｏ」リングに施された粘着性物質によって接続される。これにより各二重レール「Ｄ」、「Ｄ´」の主レール１、１´及び二次的レール６、６´並びに双方の二重レール「Ｄ」、「Ｄ´」が互いに接続される。
【００２３】
長手方向で且つ平行な細長い第一の部材７１及び第二の部材７２を備えるガスタンクの横方向支持ビーム７０は、該部材の各々が、第一の端部及び第二の端部７３、７３´、７４、７４´を有する。第一の細長い部材７１は、その中央部分にて曲げられ、突き出さない逆「Ｖ」字形部片を形成する。第二の細長い部材７２は、その中央部分にて曲げられて、突き出した逆「Ｖ」字形部片を形成する。該部片の双方は、各々が第一の端部及び第二の端部を有し且つ各々がその第二の端部に孔（図示せず）を有する２つの垂直で且つ平行な細長い部材７５、７５´によりその中央部分により接続される。これにより、中央の「Ｈ」字形パターンが形成される。第一の長手方向の細長い部材７１の両端７３、７３´にて接続された第一の対の半締め止め具７７、７７´と、第二の長手方向の細長い部材７２の両端７４、７４´にて接続された第二の対の半締め止め具７８、７８´とが、自動車のフレームの外側部に対し開放する。
【００２４】
閉じた「Ｖ」字形を有する第一及び第二の２番目のキャビンの支持体７９、７９´は、第一の主細長い金属部材８０、８０´及び第二の主細長い金属部材８１、８１´と、「Ｖ」字形を閉じ且つその最も幅の広い部分に穴８３、８３´を含むパレット形状を有するキャビン支持体を形成する上方平面状細長い部材８２、８２´とから成る。上方の平面状細長い部材８２、８２´及び第一の主細長い金属部材８０、８０´の連結体が、フレームの内側部に対して開放した第一の半締め止め具８４、８４´を有する。第一の主細長い部材８０、８０´及び第二の主細長い部材８１、８１´の連結体が、フレームの内側部に対して開放した第二の半締め止め具８５、８５´を形成する。半締め止め具の各々が、上方ボルト受け入れ部材８６、８６´及び下方ボルト受け入れ部材８９、８９´を有する（第一の半締め止め具の上方ボルト受け入れ部材及び第二の半締め止め具の下方ボルト受け入れ部材のみを図示）。該部材の各々は、ガスタンクの横方向支持ビーム７０の第一の対の半締め止め具７７、７７´及び第二の対の半締め止め具をそれぞれ閉じる。ボルト受け入れ部材がボルト−ナット組立体と一致し、且つ該ボルト−ナット組立体を受け入れる。これにより、第一の「Ｏ」リング９０、９０´及び第二の「Ｏ」リング９０ｂ、９０ｂ´を形成し、主レールの断面をその半分の３／４部分を受け入れ、また、ほぼその中央部分にて二次的クロスバーの断面を受け入れ、且つそれぞれ第一の「Ｏ」リング９０及び第二の「Ｏ」リング９０´に施された粘着性物質によって接続する。これにより、二重レール「Ｄ」、「Ｄ´」の各々の主レール１、１´及び二次的レール６、６´並びに双方の二重レール「Ｄ」、「Ｄ´」が互いに接続される。
【００２５】
第一及び第二の１番目のキャビンの支持体９１、９１´は、各々が、ある幅を有し、上端及び下端を有する垂直方向側部と、第一及び第二の端部を有する水平方向側部と、第一及び第二の端部を有する傾斜側部（斜辺）とを有する側方向三角形の平面状の第一の部材９２、９２´及び第二の部材９３´、９３´を有するほぼ切れ目無しの（ｓｅｍｉ−ｓｏｌｉｄ）多角形の三角形部片を備える。キャビンの支持体９１、９１´は、また、垂直方向側部の第一の端部の端縁にて双方の横方向三角形の平面状部材９２、９２´、９３、９３´の間に接続されて、主レール１、１´の半分の最後の１／４部分を受け入れる垂直方向に向き決めした第一及び第二の半締め止め具９５、９５´、９６、９６´を形成する、上方の細長い部材９４、９４´を有する。細長い部材９４、９４´は各々がフレーム部材の内側に向き、上方且つ内側の端部を有する。キャビンの支持体９１、９１´は、また、端縁にて双方の側方向三角形の平面状部材９２、９２、９３´、９３´の間に接続されて、その中央部分に円形の開口部９８´、９８´を有する下方の水平方向の五角形の平面状部材９７、９７´を有する。キャビンの支持体９１、９１´は、また、傾斜し且つ水平方向の側部の第一の端部が一致し、三角形の平面状部材の垂直方向側部の第二の端部に接続され、二次的レール６、６´の半分の最後の１／４を受け入れ且つ粘着性物質により二次的レールと接着する、１対の丸味を付けたレール受け入れ部分（図示せず）を有する。キャビンの支持体９１、９１´は、また、双方の側方向三角形平面状部材９２、９２´、９３、９３´の間、及び且つ上方の細長い部材９４、９４´と、下方の水平方向の五角形の形状の平面状部材９７、９７´の間に配置されて、これらの部材を連結する補強構造体９９、９９´を有する。キャビンの支持体９１、９１´は、また、双方の締め止め具９５、９５´、９６、９６´の上端の先端に溶接された第一のボルト受け入れ部材１００、１００´及び第二のボルト受け入れ部材１０１、１０１´を有する。第二の三角形の平面状部材９３、９３´は、その垂直方向側部の第二の端部に穴（図示せず）を有し、また、丸味を付けたレール受け入れ部分の上方にてその水平方向側部の第一の端部付近に穴（図示せず）を有する。三角形の平面状部材９３、９３´、９４、９４´の各々は、上方の細長い部材９４、９４´及び下方の水平方向五角形の平面状部材９７、９７´に対して車のフレームの前側に向けて僅かに傾斜している。唯一の半締め止め具１０２、１０２´が、垂直方向に向き決めされ且つ車のフレームの外側部に対し開放し、且つ上方のボルト受け入れ部分を有し、キャビンの支持体の上方の支持部材の第二の半締め止め具９６、９６´を閉じる。このように、そのボルト受け入れ部材がボルト−ナット組立体と一致し、且つ該ボルト−ナット組立体を受け入れる。これにより「Ｏ」リング１０３、１０３´を形成し、その第一の端部付近にて主レール１、１´の断面を受け入れ且つ「Ｏ」リング１０３、１０３´に施された粘着性物質によって該断面を接続する。
【００２６】
トランスミッションの支持ビーム１０４は、「Ｈ」字形断面を有し且つ両側部に逆「Ｕ」字形に曲がった中央部分１０５及び２つの真っ直ぐな部分１０６、１０６´を有する細長い溝型部材を備える。細長い溝型部材は、トランスミッションの支持ビームの第一及び第二の端部１０７、１０８を形成する。該端部の各々が、ナット受け入れ孔（図示せず）を有し且つそれぞれ水平に向き決めされ、また、上方に開放した第一及び第二の半締め止め具１０９、１１０を更に有する。該半締め止め部の各々が、第一の端部１０７及び第二の端部１０８にて接続され、各々がナット受け入れ孔（図示せず）を有する。半締め止め具１０９、１０９´、１１０、１１０´の各々が、その第二の端部付近にて二次的レールの下側部分を取り囲んでおり、また、ナット受け入れ部分を通り及びナット受け入れ孔と一致するキャビン支持体の矩形の平面状部材９７、９７´の水平方向側部の第二の端部に配置された孔を通って進むナット−ボルト組立体により、１番目のキャビンの支持体９１、９１´に連結される。
第一及び第二（図示せず）のキャビンの支持体の連結部材１１１は、１番目のキャビンの支持体の各々を主及び二次的レール１、１´、６、６´に連結する。該連結部材１１１の各々が、主レール１、１´を受け入れるため、その先端にボルト受け入れ部材１１４、１１４´を有する自動車のフレームの外側部まで開放した垂直方向半締め止め具１１３を含む上端と、二次的レール６、６´を受け入れる丸味を付けたレール受け入れ部分（図示せず）を含む下端とを有する垂直方向平面状部材１１２を備える。垂直方向平面状部材１１２、１１２´の各々が、その第二の端部付近にボルト受け入れ孔１１５を有する。また、丸味を付けたレール受け入れ部分は、その端部に水平方向ボルト受け入れ部材（図示せず）を有する。半締め止め具１１３、１１３´は、第一のキャビン支持体の半締め止め具９５、９５´を閉じ、それにより双方のボルト受け入れ部材が一致し且つボルト−ナット組立体を受け入れる。これにより「Ｏ」リング１１６、１１６´が形成され、主レール１´、１´の断面が受け入れられ且つ「Ｏ」リング１１６、１１６´に施された粘着性物質により該断面が接続される。丸味を付けたレール受け入れ部分は、粘着性物質により二次的レール６、６´に接着される。このようにして、各二次的レール及び主レールの最後の１／４は、トランスミッションの支持体ビーム１０４の半締め止め具１０９、１１０、一番目のキャビンの支持体９１´、９１´の丸味を付けた受け入れ部分、及びキャビンの支持体の連結部材１１１、１１１´によって取り囲まれ且つ支持される。このようにして、キャビン支持体９１、９１´、キャビン支持体の連結部材１１１、１１１´、及びトランスミッションの支持体ビーム１０４の各々によって、二重レール「Ｄ」、「Ｄ´」の双方が接続される。
【００２７】
前側サスペンションの支持フレーム１２は、第一及び第二の二重レール１、１´の第一の端部２、２´を接続する第一及び第二の二重レール受け入れ部分１１８、１１８´と、第一及び第二の二重レールの受け入れ部分１１８、１１８´に対向しており、且つ車のフレームの前側に配置された第一及び第二の衝撃ビーム受け入れ部分１１９、１１９´とを有する。
【００２８】
左側及び右側の第一のボックスの支持体１２０、１２０´は、各々がボックスの支持部材１２１、１２１´を有する第一の端部と、自動車のフレームの内端に臨み且つガスタンクの横方向支持ビーム７０と第三の横方向支持ビーム１８との間にて主レール１、１´の上方部分に溶接された丸味を付けたレール受け入れ部分を有する第二の端部とを備える中空の矩形の部片を備える。
【００２９】
左側及び右側の第二のボックスの支持体１２２、１２２´は、第一の真っ直ぐな傾斜側部、丸味を付けた形状の第二の側部、及び上側の水平方向側部を有する１対の平行な平面状部材と、双方の平行な平面状部材の上側水平方向側部に接続された矩形の水平方向平面状部材１２３、１２３´と、を有する。第二の側部の各々は、第二及び第三の横方向支持ビーム１７、１８の間にて車の外側部に臨む主レール１、１´に溶接される。
【００３０】
左側及び右側の第三のボックスの支持体１２４、１２４´は、各々が、水平方向の矩形の平面状壁、及び垂直方向の矩形の部材から垂下していて矩形の平面状部材の長さの半分の長さを有し、また、内側部及び外側部を有する第一及び第二の側壁を有する溝型部材と、その中央部分に１対の孔１２５、１２５´を備える。左側及び右側の第三のボックスの支持体１２４、１２４´の各々は、第一及び第二の横方向支持ビーム１６、１７の間にて主レール１、１´の上側部分に溶接され、主レール１、１´は、双方の側壁の内側の間に配置されたままである。
【００３１】
左側及び右側の第四のボックスの支持体１２６、１２６´は、各々が、垂直方向の矩形の平面状壁と、該矩形の平面状壁から垂下する第一及び第二の側壁とを有し、矩形の平面状部材の長さの半分の長さを有し、また、内側部及び外側部を有する溝型部材を備える。第四のボックスの支持体の各々は、主レール１、１´の側方部分に溶接され、垂直方向矩形の平面状部材の外側部が主レール１、１´の第二の端部付近にて車のフレームの外側部に向いている。主レール１、１´は双方の横方向側部の内側部の間に配置されたままである。
【００３２】
第一及び第二の後側フェンダ支持体１２７、１２７´は、各々が、垂直壁、及び該垂直壁から垂下する２つの水平方向側壁を有する溝型部片を備え、主レール１、１´の第二の端部の先端３、３´に溶接されている。
【００３３】
左側及び右側衝撃吸収器の支持体１２８、１２８´は、角錐形状を有し、且つレールの受け入れ部分を有する。左側衝撃吸収器１２８は、車のフレームの内側部に臨む第一の主レール１に溶接され、且つ第二及び第三の横方向ビーム１７、１８の間に配置されている。右側衝撃吸収器１２８´は、車の内側部に臨む第二の主レール１´に溶接され、且つ右側の第三のボックス支持体１２４´と第二の横方向ビーム１７との間に配置されている。
【００３４】
半締め止め具の各々の孔及びボルトを受け入れる部材の各々は、粘着性物質が新しい間、粘着性物質によりレールに接続された半締め止め具を押し付ける仮のボルト−ナット組立体を受け入れる。粘着性物質が硬化したならば、接続力の全ては、粘着性物質が施された箇所にて粘着性物質により加えられる。
【００３５】
本発明の１つの好ましい実施の形態において、車のフレームの全ての構成要素は、金属合金又は任意のその他の適宜な材料にて出来たものとしてもよいが、これらの構成要素は鋳造金属で出来たものとすることができ、このことは、構造体の全体の重量を軽減することになる。
【００３６】
更に、車のフレームの前側は、車のフレームの形態を変化させることなく、現下の必要性に依存して任意の前側サスペンションの支持構造体の設計のものに取り付けることができる。
【００３７】
また、フレームが適応するであろう車に依存して、横方向支持ビーム又はその他の支持部材の各々の数及び設計を変更することもできる。
中央レールは、この実施の形態にて、車のフレームに対して追加的な補強部を提供し得るよう使用されるが、その他の実施の形態では中央レールを備えないようにしてもよく、それに代えて、これらの実施の形態は、車のフレームに対する追加的な補強部を提供すべくその他の手段を使用することができる。
【００３８】
最後に、本発明の自動車フレームは、上述し、且つ図示した実施の形態のみに限定されるものではなく、当該技術の当業者は、本発明により提供された教示により本発明の自動車フレームの設計及び構成要素の分配に関して、特許請求の範囲に記載された本発明の発明思想及び範囲に属することは明らかであろう形態変更することが可能である。
【図面の簡単な説明】
【００３９】
【図１】その構成要素の全てを示す本発明による自動車のフレームの上方斜視図である。
【図２】その構成要素の全てを示す本発明による自動車のフレームの別の上方斜視図である。
【図３】本発明による自動車のフレームの上方図である。
【図４】本発明による自動車のフレームの底面図である。
【図５】本発明による自動車のフレームの右側面図である。
【図１】
2007523000.tif 000003
【図２】
2007523000.tif 000004
【図３】
2007523000.tif 000005
【図４】
2007523000.tif 000006
【図５】
2007523000.tif 000007
【国際調査報告】
2007523000.tif 000008
2007523000.tif 000009
2007523000.tif 000010
2007523000.tif 000011
2007523000.tif 000012
2007523000.tif 000013
2007523000.tif 000014
2007523000.tif 000015